(57)【要約】【課題】光源を支持し、概ね平板状となる支持体の曲げ弾性係数を高めることができ、しかも、回路基板の部品の温度上昇を抑制することができる光源装置及び表示装置を提供する。【解決手段】一面で光源を支持する略矩形の板部３１を有する支持体３の板部３１の他面に回路基板１３を支持する台板６を取付け、該台板６に、離隔した位置で該台板６を補強する二つの補強杆７，７を取付け、回路基板１３を、実装されている部品１３ａが台板６と離隔して対向するように補強杆７，７夫々に取付け、該回路基板１３と台板６との間に、補強杆７，７の長手方向両側へ開放された通気路１７を設けることにより、支持体３の剛性を高めるとともに通気路１７の排熱をスムーズにできるようにした。【選択図】図６
2010073371.tif 000002
【特許請求の範囲】
【請求項１】
一面で光源を支持する略矩形の板部を有する支持体と、部品が実装されている回路基板とを備える光源装置において、前記回路基板を支持し、前記板部の他面に取付けてある台板と、該台板に離隔して取付けられて該台板を補強する二つの補強杆とを備え、前記回路基板は、前記部品が前記台板と離隔して対向するように前記補強杆夫々に取付けてあり、該回路基板と前記台板との間に、前記補強杆の長手方向両側へ開放された通気路を設けてあることを特徴とする光源装置。
【請求項２】
一面で光源を支持する略矩形の板部を有する支持体と、部品が実装され前記板部の他面で支持される回路基板とを備える光源装置において、前記板部の他面に離隔して取付けられて該板部を補強する二つの補強杆を備え、前記回路基板は、前記部品が前記板部と離隔して対向するように前記補強杆夫々に取付けてあり、該回路基板と前記板部との間に、前記補強杆の長手方向両側へ開放された通気路を設けてあることを特徴とする光源装置。
【請求項３】
前記回路基板は略四角形をなし、該回路基板の対向する両縁部夫々に、両端に結合部を有する固定杆を取付けてあり、前記結合部を前記補強杆夫々に取付けてある請求項１又は２記載の光源装置。
【請求項４】
前記板部は、離隔した位置で該板部を補強する二つの第２補強杆を取付けてあり、該二つの第２補強杆に前記台板を取付けてある請求項１又は３記載の光源装置。
【請求項５】
前記板部は、前記第２補強杆夫々の端部に結合され、前記板部を補強する第３補強杆を取付けてある請求項４記載の光源装置。
【請求項６】
前記第３補強杆は、前記通気路の外部への開放部と向き合う部分に、前記板部の他面に対して傾斜し、前記通気路を通過した空気を導風する導風部を設けてある請求項５記載の光源装置。
【請求項７】
表側に表示面を有する表示部と、該表示部の裏側に配された請求項１から６のいずれか一つに記載の光源装置とを備えることを特徴とする表示装置。
【発明の詳細な説明】
【技術分野】
【０００１】
本発明は液晶表示装置等の表示装置の光源として使用される光源装置及び表示装置に関する。
【背景技術】
【０００２】
テレビジョン等の表示装置は、画像を表示する表示面を前側に有する表示部の後側に光源装置が配されている。
【０００３】
光源装置が使用される表示装置は、前側に表示面を有し、略直方体をなす表示パネルの後側に、該表示パネルを支持するフレームシャーシと、該フレームシャーシの後面に装着される複数の回路基板とを備える。フレームシャーシの後面には上下に離隔して二つの補強リブが平行的に取付けられ、前記後面における二つの補強リブ間に、前記後面と離隔して前記回路基板を配し、該回路基板の下縁と下側補強リブとの間に流入空間を設け、回路基板の上縁と上側補強リブとの間に流出空間を設けることにより、フレームシャーシの後面と回路基板との間に通気路を設け、流入空間に流入した空気を、通気路を経て流出空間から流出させることにより、回路基板が発生する熱を冷却するように構成されている（例えば、特許文献１参照。）。
【特許文献１】特開２００３−１７３１４７号公報
【発明の開示】
【発明が解決しようとする課題】
【０００４】
ところが、特許文献１のように構成された表示装置にあっては、フレームシャーシの後面及び回路基板間における通気路の流入側と、流出側との夫々に補強リブが設けられているため、補強リブ夫々が通気路に流入する空気及び通気路から流出する空気の障害となり、廃熱がスムーズでないという問題がある。
【０００５】
テレビジョン等の表示装置は光源として発光ダイオードを使用することにより薄型化を図ることができる。しかし、発光ダイオードを支持する支持体は平板状になるため、光源装置の曲げ強度が不十分となり、改善策が要望されていた。
【０００６】
本発明は斯かる事情に鑑みてなされたものであり、主たる目的は一面に光源を支持する略矩形の板部を有する支持体の前記板部の他面に、部品が実装されている回路基板を支持する台板を取付け、該台板に、離隔した位置で該台板を補強する二つの補強杆を取付け、回路基板を、前記部品が前記板部と離隔して対向するように前記補強杆夫々に取付け、該回路基板と前記板部との間に、前記補強杆の長手方向両側へ開放された通気路を設けることにより、支持体における板部の曲げ弾性係数を補強杆により高めることができ、しかも、排熱性を高めることができ、回路基板の部品の温度上昇を抑制することができる光源装置及び表示装置を提供することにある。
【課題を解決するための手段】
【０００７】
本発明に係る光源装置は、一面で光源を支持する略矩形の板部を有する支持体と、部品が実装されている回路基板とを備える光源装置において、前記回路基板を支持し、前記板部の他面に取付けてある台板と、該台板に離隔して取付けられて該台板を補強する二つの補強杆とを備え、前記回路基板は、前記部品が前記台板と離隔して対向するように前記補強杆夫々に取付けてあり、該回路基板と前記台板との間に、前記補強杆の長手方向両側へ開放された通気路を設けてあることを特徴とする。
【０００８】
この発明にあっては、二つの補強杆が台板と一体になり、この補強杆と一体の台板が板部に取付けられているため、該板部の曲げ弾性係数を補強杆及び台板により高めることができ、しかも、補強杆が回路基板を離隔させ、該回路基板と台板との間に通気路を設け、この通気路に回路基板の部品を配してあるため、回路基板の部品が発生する熱を通気路から外部へスムーズに排熱することができ、回路基板の部品の温度上昇を抑制することができ、部品を含む回路基板の耐久性を高めることができる。
【０００９】
また、本発明に係る光源装置は、一面で光源を支持する略矩形の板部を有する支持体と、部品が実装され前記板部の他面で支持される回路基板とを備える光源装置において、前記板部の他面に離隔して取付けられて該板部を補強する二つの補強杆を備え、前記回路基板は、前記部品が前記板部と離隔して対向するように前記補強杆夫々に取付けてあり、該回路基板と前記板部との間に、前記補強杆の長手方向両側へ開放された通気路を設けてあることを特徴とする。
【００１０】
この発明にあっては、回路基板を取付けてある二つの補強杆が板部と一体となり、該板部を補強しているため、板部の曲げ弾性係数を補強杆により高めることができ、しかも、補強杆が回路基板を離隔させ、該回路基板と板部との間に通気路を設け、この通気路に回路基板の部品を配してあるため、回路基板の部品が発生する熱を通気路から外部へスムーズに排熱することができ、回路基板の部品の温度上昇を抑制することができ、部品を含む回路基板の耐久性を高めることができる。
【００１１】
また、本発明に係る光源装置は、前記回路基板は略四角形をなし、該回路基板の対向する両縁部夫々に、両端に結合部を有する固定杆を取付けてあり、前記結合部を前記補強杆夫々に取付けてある構成とするのが好ましい。
この発明にあっては、固定杆が補強杆と一体になり、この固定杆と一体構造の補強杆及び台板が板部の他面に取付けられているため、該板部の曲げ弾性係数を補強杆、台板及び固定杆により高めることができ、比較的大型の支持体が概ね平板状になっても該支持体の剛性を高めることができる。
【００１２】
また、本発明に係る光源装置は、前記板部は、離隔した位置で該板部を補強する二つの第２補強杆を取付けてあり、該二つの第２補強杆に前記台板を取付けてある構成とするのが好ましい。
この発明にあっては、板部を補強する二つの第２補強杆に取付けてある台板が二つの第２補強杆と一体になり、この台板と一体構造の第２補強杆が板部の他面に取付けられているため、該板部の曲げ弾性係数を補強杆、台板及び第２補強杆により高めることができ、比較的大型の支持体が概ね平板状になっても該支持体の剛性を高めることができる。
【００１３】
また、本発明に係る光源装置は、前記板部は、前記第２補強杆夫々の端部に結合され、前記板部を補強する第３補強杆を取付けてある構成とするのが好ましい。
この発明にあっては、二つの第２補強杆の端部に第３補強杆が結合され、コ字形をなす一体構造になっており、この一体構造の第２補強杆及び第３補強杆が支持体の板部の他面に取付けられているため、該板部の曲げ弾性係数をより一層高めることができ、比較的大型の支持体が概ね平板状になっても該支持体の剛性をより一層高めることができる。
【００１４】
また、本発明に係る光源装置は、前記第３補強杆は、前記通気路の外部への開放部と向き合う部分に、前記板部の他面に対して傾斜し、前記通気路を通過した空気を導風する導風部を設けてある構成とするのが好ましい。
この発明にあっては、通気路が上下に開放されるように支持体が配された場合、通気路から上方へ排熱されて上昇する空気が導風部に当たり、該導風部により斜め上方へスムーズに排熱することができるため、排熱性を高めることができる。
【００１５】
また、本発明に係る表示装置は、表側に表示面を有する表示部と、該表示部の裏側に配される前述した発明の光源装置とを備えることを特徴とする。
この発明にあっては、台板を補強する二つの補強杆及び台板により支持体の曲げ弾性係数を高めることができ、比較的大型の支持体が概ね平板状になっても該支持体の剛性を高めることができ、しかも、回路基板の部品が発生する熱を通気路から外部へスムーズに排熱することができ、回路基板の部品の温度上昇を抑制することができ、部品を含む回路基板の耐久性を高めることができる。
【発明の効果】
【００１６】
本発明によれば、支持体の板部を補強する二つの補強杆により板部の曲げ弾性係数を高めることができるため、比較的大型の支持体が概ね平板状になっても該支持体の剛性を高めることができ、しかも、回路基板の部品が発生する熱を通気路から外部へスムーズに排熱することができるため、回路基板の部品の温度上昇を抑制することができ、部品を含む回路基板の耐久性を高めることができる。
【発明を実施するための最良の形態】
【００１７】
以下本発明をその実施の形態を示す図面に基づいて詳述する。図１は表示装置に組込まれる光源装置の構成を示す背面側斜視図、図２は光源装置の構成を示す背面図、図３は光源装置の台板を取外した状態の構成を示す分解斜視図、図４は回路基板を取外した状態の構成を示す分解斜視図、図５は回路基板を取外した状態の構成を示す一部を拡大した分解斜視図、図６は要部の構成を示す拡大断面図、図７は台板の構成を示す背面図、図８は第２補強杆の構成を示す斜視図、図９は第３補強杆部分の構成を示す拡大断面図、図１０は光源装置の光源部分の構成を示す模式的断面図、図１１は光源装置の光源部分の構成を示す模式的断面図、図１２は光源の構成を示す模式的説明図である。
【００１８】
図示した光源装置は、前側に表示面を有し、略直方体をなす表示部を備える薄型の表示装置における表示部の後側に装着されるもので、碁盤目のように並置される複数の発光ダイオード１と、該発光ダイオード１を実装してある複数の発光ダイオード基板２と、該発光ダイオード基板２を並べて支持する支持体３と、発光ダイオード１が発光した光を横方向へ導く複数の導光板４と、該導光板４が導いた光を支持体３と反対方向へ反射させる複数の反射板５とを備える。
【００１９】
支持体３は金属板を成形してなり、略矩形をなす平板状の板部３１を有し、該板部３１の一面に複数の発光ダイオード基板２を長手方向及び幅方向に並べて支持してあり、該発光ダイオード基板２夫々と板部３１との間に、発光ダイオード１が発生した熱を発光ダイオード基板２から板部３１へ放熱する放熱板３０を介在してある。また、板部３１には該板部３１の長手方向に並置される発光ダイオード基板２同士を導線で接続するため複数の接続用孔３２と、導光板４夫々を個別に取付けるための複数の取付孔３３とが開設されている。また、板部３１の周縁部には板厚方向へ偏倚する段部３４が設けられており、該段部３４と発光ダイオード基板２との間に導光板４夫々の一部を支持する細長状の第１支持板１１が取付けられ、段部３４よりも周縁側に後記する光学シートを支持する細長状の第２支持板１２が取付けられる。
【００２０】
発光ダイオード基板２は略矩形をなし、一面に発光ダイオード１を実装してあり、板部３１の一面に並べて取付けられている。
【００２１】
導光板４は、入光面４ａと、該入光面４ａに入光した光を入光面４ａとほぼ直交する方向へ照射する出光面４ｂとを有し、発光ダイオード１の一側と対向する位置に入光面４ａを配し、前記表示部の後側の面と対向する位置に出光面４ｂを配してあり、出光面４ｂと反対側の面に反射板５が貼付けられている。
【００２２】
以上のように一面に発光ダイオード基板２が取付けられた板部３１の他面には、前記表示部に電源を供給する電源回路基板１３、及び前記表示部の表示面に表示される画像を処理する端子回路基板１４等の複数の回路基板を支持する台板６が支持され、該台板６に、台板６を補強する二つの補強杆７，７が取付けられている。また、板部３１の他面には、長手方向に比較的長い距離で離隔した位置で該板部３１を補強する二つの第２補強杆８，８と、該第２補強杆８，８と比較的短い距離で並置され、板部３１を補強する第４補強杆９，９と、第２補強杆８，８及び第４補強杆９，９の一端及び板部３１の長辺との間で第２補強杆８，８及び第４補強杆９，９の端部に結合され、板部３１を補強する第３補強杆１０との夫々を複数の間座部材６０を介して複数の雄螺子により取付けてある。
【００２３】
台板６は金属板を成形してなり、一面に電源回路基板１３及び端子回路基板１４を支持し、略矩形をなす支持板部６１と、該支持板部６１の長手方向両縁から一面側へ突出する二つの第１突片６２，６２及び第１突片６２，６２の先端から互いに外向きに突出する被取付部としての第２突片６３，６３と、支持板部６１の他の対向する二つの縁の一方から一面側へ突出する第３突片６４と、支持板部６１の他の対向する二つの縁の他方から他面側へ突出する第４突片６５とを有し、第２突片６３，６３が二つの第２補強杆８，８に雄螺子により取付けられ、第３突片６４が第３補強杆１０に雄螺子により取付けられ、第４突片６５が板部３１に雄螺子により取付けられている。
【００２４】
支持板部６１の長手方向両端間には、台板６を補強する二つの補強杆７，７が長手方向に離隔して取付けられており、該補強杆７，７の長手方向中間に、電源回路基板１３を支持する二つの固定杆１５，１５が取付けられている。また、支持板部６１の長手方向中央部で、補強杆７，７の間には制御回路基板１６に対応する欠除部６６が設けられている。
【００２５】
欠除部６６は支持板部６１の長辺と離隔した箇所に開設された四角形をなす貫通孔であり、欠除部６６にて露出する板部３１の露出位置に、制御回路基板１６を支持する第３台板が複数の雄螺子により取付けられている。
【００２６】
補強杆７，７は金属板を断面コ字形に成形してなり、支持板部６１の幅よりも若干短い長さに形成され、溝が支持板部６１と対向するように複数の雄螺子により支持板部６１に取付けられている。
【００２７】
固定杆１５は金属板を比較的細幅に成形してなり、板部３１の長手方向一側部に配してある第２補強杆８から一方の補強杆７を跨越して配されている他方の補強杆７に至る長さに形成されており、両端部と中間との三箇所に固定部１５ａが設けられている。固定杆１５は補強杆７，７の長手方向へ離隔して並置され、一端の固定部１５ａが第２補強杆８の長手方向中間に雄螺子にて取付けられ、他端の固定部１５ａ及び中間の固定部１５ａが二つの補強杆７，７の長手方向中間に雄螺子にて取付けられており、二つの固定杆１５，１５における補強杆７，７間部分と、一方の第２補強杆８及び一方の補強杆７間部分とに電源回路基板１３が夫々取付けられている。
【００２８】
電源回路基板１３は一面に複数の部品が実装されている略四角形をなし、該電源回路基板１３の対向する両縁部夫々を固定杆１５，１５に雄螺子により取付けてあり、一面の部品１３ａが支持板部６１と若干離隔して対向するように固定杆１５，１５にて補強杆７，７に取付けられ、電源回路基板１３と支持板部６１との間に、補強杆７，７の長手方向両側へ開放された通気路１７が設けられている。
【００２９】
第２補強杆８は金属板を断面コ字形に成形してなり、板部３１の幅よりも短い長さに形成されている。一方の隣合う第２補強杆８及び第４補強杆９は、比較的短い離隔距離で板部３１の長手方向一側部に溝が板部３１と対向するように並置され、他方の隣合う第２補強杆８及び第４補強杆９は、比較的短い離隔距離で板部３１の長手方向他側部に溝が板部３１と対向するように並置されている。また、第２補強杆８及び第４補強杆９夫々の両端には挿通孔を有する被結合部を設けてある。
【００３０】
第３補強杆１０は金属板を断面コ字形に成形してなり、板部３１の長さよりも短い長さに形成され、両端部夫々に二つの被結合部が設けられている。第３補強杆１０は板部３１の縁よりも中央側へ離隔した位置に板部３１の長辺と平行的に配され、一端部の二つの被結合部が第２補強杆８及び第４補強杆９の一端部の被結合部に雄螺子により結合されているとともに、溝が板部３１と対向するように板部３１に固定されており、他端部の二つの被結合部が第２補強杆８及び第４補強杆９の一端部の被結合部に雄螺子により結合されているとともに、溝が板部３１と対向するように板部３１に固定されている。
【００３１】
第３補強杆１０には、通気路１７の外部への開放部と向き合う部分に、板部３１の他面に対して傾斜し、通気路１７を通過した空気を前記他面に対して傾斜する方向へ導風する導風部１０ａを設けてある。
【００３２】
板部３１の長手方向一側部に並置してある第２補強杆８及び第４補強杆９の間の板部３１には、発光ダイオード基板２に接続される電源回路基板１８が複数の雄螺子により取付けられており、板部３１の長手方向他側部に並置してある第２補強杆８及び第４補強杆９の間の板部３１には、発光ダイオード基板２に接続され、発光ダイオード１を制御する制御回路基板１９が複数の雄螺子により取付けられており、また、板部３１の長手方向中央で、第３補強杆１０と反対側には前記表示部を制御する制御回路基板１６が複数の雄螺子により取付けられている。
【００３３】
また、板部３１の長手方向一側部に並置してある第２補強杆８及び第４補強杆９には、電源回路基板１８を被覆し、該電源回路基板１８に対して電磁波を遮断するカバー２０が複数の雄螺子により取付けられており、板部３１の長手方向他側部に並置してある第２補強杆８及び第４補強杆９には、制御回路基板１９を被覆し、該制御回路基板１９に対して電磁波を遮断するカバー２１が複数の雄螺子により取付けられている。
【００３４】
以上のように構成された光源装置の支持体３は、比較的長い離隔距離で取付けられた二つの第２補強杆８，８が板部３１の長手方向両側にあり、この両側の第２補強杆８，８に台板６が取付けられ、台板６に二つの補強杆７，７が離隔して取付けられ、補強杆７と台板６と第２補強杆８とが板部３１と一体構造となり板部３１を補強しているため、平板状の支持体３の曲げ弾性係数を高めることができる。
【００３５】
台板６の支持板部６１に取付けてある補強杆７，７には、部品１３ａが支持板部６１と離隔して対向するように電源回路基板１３が取付けられ、電源回路基板１３と支持板部６１との間に、補強杆７，７の長手方向両側へ開放された通気路１７が設けられているため、通気路１７を通気する空気により前記部品１３ａを冷却することができる。通気路１７は補強杆７，７の間で外部に開放されているため、通気路１７の入口側及び出口側での流れをスムーズにすることができる。
【００３６】
支持体３は、二つの第２補強杆８及び二つの第４補強杆９の一端に第３補強杆１０が結合され、一体構造のコ字形をなし、この一体構造の第２補強杆８、第４補強杆９及び第３補強杆１０が支持体３の板部３１に取付けられ該板部３１と一体構造になっているため、概ね平板状となる支持体３の曲げ弾性係数を十分に高めることができる。
【００３７】
また、第２補強杆８及び第４補強杆９は板部３１の長手方向一側部と他側部とに夫々二つを並置し、第２補強杆８及び第４補強杆９に電磁波遮断用のカバー２０，２１を取付けてあり、該カバー２０，２１が板部３１を補強しているため、支持体３の曲げ弾性係数をより一層高めることができる。
【００３８】
図１３は本発明に係る光源装置を備える表示装置の構成を示す断面図である。この表示装置は、テレビ画像を表示する表示面を前側に有する表示部４０と、該表示部４０の後側に配されている光源装置Ａと、表示部４０の周縁部及び光源装置Ａの後側を被覆するキャビネット４１とを備える。
【００３９】
表示部４０は、表示面を有する表示パネル４２と、該表示パネル４２の後側に配されている光学シート４３とを有する。表示パネル４２の周縁部は、前保持枠体４４と、後保持枠体４５とにより前後に挾着保持され、パネルモジュールを構成しており、後保持枠体４５が支持体３の周縁部に取付けられている。
【００４０】
光学シート４３は、光源としての発光ダイオード１が発光した光を拡散する比較的厚肉の二枚の拡散板４３ａと、反射偏光板、プリズムシート、拡散シート等の比較的薄肉の合成樹脂シート４３ｂが積層された積層体であり、拡散板４３ａの周縁部が第２支持板１２を介して支持体３の周縁部に支持されている。
【００４１】
キャビネット４１は、表示部４０の周縁部前側を被覆するキャビネット前分体４１ａと、光源装置Ａの周縁部及び後側を被覆する深皿形状のキャビネット後分体４１ｂとを有し、支持体３の周縁に雄螺子により取付けられている。
【００４２】
以上のように構成された表示装置の光源部には、電源回路基板を支持する台板６の支持板部６１に補強杆７，７が取付けられ、該補強杆７，７には、部品が支持板部と離隔して対向するように電源回路基板が取付けられ、電源回路基板と支持板部及び補強杆７，７との間に、補強杆の長手方向両側へ開放された通気路が設けられているため、通気路の下端入口から通気路へ入った空気を通気路の上端出口からスムーズに排熱することができ、通気路内の空気による電源回路基板部品の冷却効果を高めることができる。
【００４３】
図１４は光源装置の他の構成を示す要部の断面図である。この光源装置は、台板６をなくし、板部３１に設けられている二つの第２補強杆８，８を補強杆とし、電源回路基板１３を、部品１３ａが板部３１と離隔して対向するように第２補強杆８，８（補強杆）夫々に取付け、該回路基板１３と板部３１及び第２補強杆８，８との間に通気路１７を設けたものである。その他の構成及び作用は図１〜６に示した実施の形態と同様であるため、同様の部品については同じ符号を付し、その詳細な説明及び作用効果の説明を省略する。
【００４４】
尚、以上説明した実施の形態では、光源として発光ダイオード１を備える構成としたが、その他、ランプを有する光源であってもよく、光源の構成は特に制限されない。
【００４５】
また、以上説明した実施の形態では、板部３１の長手方向両側に二つの第２補強杆８，８及び第４補強杆９，９を夫々並置し、これら第２補強杆８，８及び第４補強杆９，９の一端部に第３補強杆１０を結合してある構成としたが、その他、第４補強杆９，９をなくした構成としてもよい。
【００４６】
また、以上説明した実施の形態では、電源回路基板１３，端子回路基板１４を支持する台板６を備える構成としたが、回路基板の構成は特に制限されない。
【図面の簡単な説明】
【００４７】
【図１】本発明に係る表示装置に組込まれる光源装置の構成を示す背面側斜視図である。
【図２】本発明に係る光源装置の構成を示す背面図である。
【図３】本発明に係る光源装置の台板を取外した状態の構成を示す分解斜視図である。
【図４】本発明に係る光源装置の回路基板を取外した状態の構成を示す分解斜視図である。
【図５】本発明に係る光源装置の回路基板を取外した状態の構成を示す一部を拡大した分解斜視図である。
【図６】本発明に係る光源装置の要部の構成を示す拡大断面図である。
【図７】本発明に係る光源装置の台板の構成を示す背面図である。
【図８】本発明に係る光源装置の第２補強杆の構成を示す斜視図である。
【図９】本発明に係る光源装置の第３補強杆部分の構成を示す拡大断面図である。
【図１０】本発明に係る光源装置の光源部分の構成を示す模式的断面図である。
【図１１】本発明に係る光源装置の光源部分の構成を示す模式的断面図である。
【図１２】本発明に係る光源装置の光源の構成を示す模式的説明図である。
【図１３】本発明に係る光源装置を備える表示装置の構成を示す断面図である。
【図１４】本発明に係る光源装置の他の構成を示す要部の断面図である。
【符号の説明】
【００４８】
１    発光ダイオード（光源）
３    支持体
３１  板部
６    台板
７    補強杆
８    第２補強杆
１０  第３補強杆
１０ａ  導風部
１３  電源回路基板（回路基板）
１３ａ  部品
１７  通気路
【図１】
2010073371.tif 000003
【図２】
2010073371.tif 000004
【図３】
2010073371.tif 000005
【図４】
2010073371.tif 000006
【図５】
2010073371.tif 000007
【図６】
2010073371.tif 000008
【図７】
2010073371.tif 000009
【図８】
2010073371.tif 000010
【図９】
2010073371.tif 000011
【図１０】
2010073371.tif 000012
【図１１】
2010073371.tif 000013
【図１２】
2010073371.tif 000014
【図１３】
2010073371.tif 000015
【図１４】
2010073371.tif 000016